(57)【特許請求の範囲】
【請求項１】
ドアの閉じ作動の際、閉じばねのばね力によってドアクローザの閉鎖力を補助する装置であって、
前記ドアクローザと閉じばねとの間に正逆回転可能に配置されており、ドアの開き作動によって正回転して前記閉じばねにばね力を蓄える第１カムと、
前記第１カムの回転中心に正逆回転可能に設けられており、ドアの閉じ作動の際、前記閉じばねが接触して閉じばねのばね力が伝達される第２カムと、
前記第１カムに揺動可能に設けられ、ドアの閉じ作動の際、前記第２カムに当接して第２カムの第１カムに対する回転をロックするロック部材と、
ドアの開き作動の際、前記ロック部材が第２カムに当接するように案内する一方、ドアの閉じ作動の終了の際、前記ロック部材が第２カムとの当接から離脱するように案内するガイド部材とを備え、
前記ドアの閉じ状態において、第１カム及び第２カムと閉じばねとの間に隙間を有するように設定されていることを特徴とする閉鎖力補助装置。
【請求項２】
前記第１カム及び第２カムは、回転中心から一定半径を有して前記閉じばねと接触する接触部を備え、前記閉じばねは前記回転中心より偏心した位置からばね力を第１カム及び第２カムに伝達することを特徴とする請求項１記載の閉鎖力補助装置。
【請求項３】
前記第２カム及びガイド部材は、第１カムの正回転方向と同じ方向に付勢され、前記ロック部材は第２カムの回転中心に向けて付勢されていることを特徴とする請求項１又は２記載の閉鎖力補助装置。
【請求項４】
前記閉じばねは、ばね力の方向に移動して第１カム及び第２カムと接触及び離脱するスライダを備えていることを特徴とする請求項１〜３のいずれか１項記載の閉鎖力補助装置。
【請求項５】
前記第２カムは、前記ロック部材が当接する当接面を有しており、当該当接面は前記ロック部材の揺動軌跡側に向かって傾斜していることを特徴とする請求項１〜４のいずれか１項記載の閉鎖力補助装置。
【発明の詳細な説明】
【技術分野】
【０００１】
本発明は、ドアを閉じる際における閉鎖力を補助してドアを確実に閉じることを可能とする閉鎖力補助装置に関する。
【背景技術】
【０００２】
ドアを自動で閉じるために従来よりドアクローザが用いられている。しかし、ドアクローザは所定範囲の閉じ力を有するだけであるため、ドアの動きが悪くなったり、強風環境等によりドアが完全に閉まらない場合には、閉じ力の大きなドアクローザに交換して対応する必要がある。このように閉じ力の大きなドアクローザにした場合には、必然的にドアを開ける際の操作力が大きくなり、特にドアを開け始めるときに大きな操作力が必要となる。
【０００３】
特開２００５−１６１２８号公報には、ドアを開ける際の操作力を小さくする補助装置が記載されている。この補助装置は、直線的に往復移動するピストン及びピストンを押圧するコイルばねとを備えたドアクローザに対し、モータ及びその回転軸を設けたものである。ピストンはドアのヒンジ軸を回転させるピニオンに噛合しており、ドアが開閉することによりピストンが往復移動する。コイルばねはドアの閉じ方向にピストンが移動するように付勢している。モータは、ピストンに作用するコイルばねの付勢力を消滅させるように駆動するものであり、これによりドア開け始めの操作力を軽減させることができる。
【特許文献１】特開２００５−１６１２８号公報
【発明の開示】
【発明が解決しようとする課題】
【０００４】
しかしながら、従来の補助装置では、モータを用いているため、ドアノブへの操作前にモータのスイッチを操作する必要があり、煩雑な操作となっている。又、停電時には作動しなくなる問題を有している
【０００５】
本発明は、このような問題点を考慮してなされたものであり、ドアを開ける際の開け始めの操作力を大きくすることなく、ドアの閉鎖の際の閉鎖力だけを大きくしてドアを確実に閉じることが可能な閉鎖力補助装置及びドアクローザを提供することを目的とする。
【課題を解決するための手段】
【０００６】
請求項１記載の発明の閉鎖力補助装置は、ドアの閉じ作動の際、閉じばねのばね力によってドアの閉鎖力を補助する装置であって、前記ドアと閉じばねとの間に正逆回転可能に配置されており、ドアの開き作動によって正回転して前記閉じばねにばね力を蓄える第１カムと、前記第１カムの回転中心に正逆回転可能に設けられており、ドアの閉じ作動の際、前記閉じばねが接触して閉じばねのばね力が伝達される第２カムと、前記第１カムに揺動可能に設けられ、ドアの閉じ作動の際、前記第２カムに当接して第２カムの第１カムに対する回転をロックするロック部材と、ドアの開き作動の際、前記ロック部材が第２カムに当接するように案内する一方、ドアの閉じ作動の終了の際、前記ロック部材が第２カムとの当接から離脱するように案内するガイド部材とを備え、前記ドアの閉じ状態において、第１カム及び第２カムと閉じばねとの間に隙間を有するように設定されていることを特徴とする。
【０００７】
請求項２記載の発明は、請求項１記載の閉鎖力補助装置であって、前記第１カムは、回転中心から一定半径を有して前記閉じばねと接触する接触部を備え、前記閉じばねは前記回転中心より偏心した位置からばね力を第１カムに伝達することを特徴とする。
【０００８】
請求項３記載の発明は、請求項１又は２記載の閉鎖力補助装置であって、前記第２カム、ロック部材及びガイド部材は、第１カムの正回転方向と同じ方向に付勢されていることを特徴とする。
【０００９】
請求項４記載の発明は、請求項１〜３のいずれか１項記載の閉鎖力補助装置であって、前記閉じばねは、ばね力の方向に移動して第１カム及び第２カムと接触及び離脱するスライダを備えていることを特徴とする。
【００１０】
請求項５記載の発明は、請求項１〜４のいずれか１項記載の閉鎖力補助装置であって、前記第２カムは、前記ロック部材が当接する当接面を有しており、当該当接面は前記ロック部材の揺動軌跡側に向かって傾斜していることを特徴とする。
【発明の効果】
【００１１】
本発明では、第１カムはドアの開き作動の際に閉じばねにばね力を蓄える。蓄えられたばね力は、ドアの閉じ作動の際に第２カム、ロック部材を介して第１カムに伝達され、第１カムからドアに伝達される。従って、ドアを閉じる際の閉鎖力が大きくなり、ドアを確実に閉じることができる。又、ドアの閉じ状態においては第１カム及び第２カムと閉じばねとの間に隙間が形成されているため、閉じばねの力がこれらのカムに作用しておらず、ドアを開ける際の開け始めの操作力を大きくする必要がない。
【発明を実施するための最良の形態】
【００１２】
以下、本発明を図示する実施形態により具体的に説明する。なお、各実施形態において、同一の部材には同一の符号を付して対応させてある。
【００１３】
（第１実施形態）
図１〜図６は、本発明の第１実施形態における閉鎖力補助装置の構成を示し、図７〜図１１は、その作動を示す。
【００１４】
閉鎖力補助装置１は、図１及び図２に示すように、ドアクローザ２に取り付けられるものである。ドアクローザ２は機構部品を収納するボックス状のクローザ本体２ａを有しており、クローザ本体がアーム部２ｂを介して建物の壁（図示省略）に取り付けられる。クローザ本体２ａからは主軸３が突出しており、この主軸３に後述する第１カム１１の連結軸部５１ａが嵌合する。第１カム１１の連結軸部５１ａは四角軸となっており、同形状に形成された主軸３にジョイント部材９を介して連結されることにより第１カム１１は主軸３との間で回転力を相互に伝達するようになっている。
【００１５】
図３〜図６に示すように、閉鎖力補助装置１は、第１カム１１、第２カム１２、ロック部材１４、ガイド部材１９、閉じばね２３がベース１７及び１８によって形成された空間内に収容されて構成されている。
【００１６】
第１カム１１は図６に示すように、上下方向に貫通する軸体５１を一体的に備えている。軸体５１は一端側（下端側）から他端側（上端側）に向かって、上述した四角状の連結軸部５１ａ、円柱状の第１軸部５１ｂ、円柱状の第２軸部５１ｃ、四角状の連結軸部５１ｄから構成されている。そして、第１軸部５１ｂがベース１７の支持穴１７ａに挿入され、第２軸部５１ｃがベース１８の支持穴１８ａに挿入されることにより、第１カム１１がベース１７，１８に正逆方向に回転可能に支持される。
【００１７】
第１カム１１は、軸体５１を回転中心として回転する。第１カム１１は円の一部を切り欠いた形状となっており、その切欠部分の端面には接触部１１ｆが形成されている。接触部１１ｆは後述する閉じばね２３に設けたスライダ２２の凸部２２ｂが接触する。スライダ２２は第１カム１１の回転中心（軸体５１）よりも偏心した位置で接触部１１ｆと接触する。
【００１８】
第２カム１２は軸穴１２ａを有しており、軸穴１２ａに第１カム１１の第２軸部５１ｃが貫通することにより、第２カム１２は第１カム１１に正逆回転可能に取り付けられる。従って、第２カム１２は軸体５１が回転中心となっており、第１カム１１と同じ回転中心となる。第２カム１２には長穴１２ｂが形成されており、この長穴１２ｂに第１カム１１の凸ピン１１ｃが挿入されている。従って、第２カム１２の回転範囲は、凸ピン１１ｃが長穴１２ｂ内を摺動する範囲となっている。
【００１９】
第１カム１１と第２カム１２との間には、ねじりばね１３が配置されており、ねじりばね１３のフック１３ａが第１カム１１のフック用穴１１ｄに挿入され、フック１３ｂが第２カム１２のフック用穴１２ｃに挿入されている。これにより第２カム１２はねじりばね１３によって回転付勢されている。付勢方向は、第１カム１１が正回転する方向であり、この実施形態では、反時計方向となっている。
【００２０】
第２カム１２の外周面には、円弧状のカム部１２ｈ、カム部１２ｈよりも小径となっている円弧状の小径部１２ｅ、小径部１２ｅをさらに窪ませた凹部１２ｆが順に形成されている。さらに、第２カム１２には、スライダ２２が接触する接触部１２ｄが形成される。接触部１２ｄは図３及び図４に示すように、第１カム１１よりもスライダ２２側に位置するように円弧状に湾曲している。第２カム１２にはスライダ２２の凸部２２ｂが接触し、この接触によって閉じばね２３のばね力が伝達される。
【００２１】
ロック部材１４は繭形状となっており、その一側が取付軸１５によって第１カム１１に回転可能に取り付けられている。ロック部材１４は取付軸１５を中心に回転（揺動）することにより、他側のロック部１４ａが第２カムと当接する。ロック部材１４はねじりばね１６によって、反時計方向に回転付勢されている。
【００２２】
ガイド部材１９はベース１８に形成された円筒状のリング部１８ｂが挿入され、抜け止めリング２０によって抜け止めされている。従って、ガイド部材１９はベース１８に回転自由に取り付けられている。ガイド部材１９とベース１８との間には、ねじりばね２１が配置されており、ガイド部材１９はねじりばね２１によって第２カム１２の付勢方向と同様の方向（反時計方向）に回転付勢されている。ガイド部材１９には、凸ピン１９ａが形成されており、凸ピン１９ａがベース１８の長穴１８ｃに挿入される。このことにより、ガイド部材１９は長穴１８ｃの長さ範囲内で回転可能となっている。さらにガイド部材１９には、湾曲状のガイド部１９ｂが形成されている。ガイド部１９ｂは第２カム１２の小径部１２ｅと略同等の半径に形成される。
【００２３】
図３に示すように、閉じばね２３は圧縮ばねからなり、ベース１７に形成された横穴１７ｂに挿入されている。スライダ２２には閉じばね２３が挿入され、閉じばね２３のばね力が作用し、閉じばね２３のばね力により第１カム１１及び第２カム１２の方向に移動するようになっている。スライダ２２はベース１７の横穴１７ｂ内をスライド可能に挿入されている。このスライドは、一端側の鍔部２２ａが横穴１７ｂの段差１７ｄと当接することにより停止する。スライダ２２の先端には、円弧状に突出する凸部２２ｂが形成され、この凸部２２ｂが第１カム１１及び第２カム１２に対向している。なお、ベース１７の横穴１７ｂは蓋２４によって封鎖されるようになっている。
【００２４】
以上の構造において、圧縮ばねからなる閉じばね２３と、ガイド部材１９を回転付勢するねじりばね２１と、ロック部材１４を回転付勢するねじりばね１６のばね力の関係は、閉じばね２３のばね力＞ねじりばね２１のばね力＞ねじりばね１６のばね力となっている。又、第２カム１２を回転付勢するねじりばね１３のばね力は、閉じばね２３のばね力よりも小さくなるように設定される。さらに、ドアが完全に閉じた状態においては、スライダ２２の凸部２２ｂと第２カム１２との間に隙間Ｌ（図７参照）を有するように設定される。
【００２５】
次に、この実施形態における作動を図７〜図１１により説明する。
【００２６】
図７はドアが完全に閉じた状態であり、鍔部２２ａがベース１７の段差部１７ｂに当接することによりスライダ２２が停止しており、スライダ２２の凸部２２ｂと第２カム１２の接触部１２ｄとの間には、隙間Ｌが形成されている。第２カム１２はねじりばね１３によって反時計方向に回転付勢されているため、長穴１２ｂが第１カム１１の凸ピン１１ｃに突き当たることにより回転が停止している。ガイド部材１９はねじりばね２１によって反時計方向に回転付勢されているため、凸ピン１９ａがベース１８の長穴１８ｃに突き当たって停止している。
【００２７】
図７の状態でドアを開けると、第１カム１１はドアクローザ２の主軸３と同期して反時計方向に回転する。これに伴って、第２カム１２も第１カム１１と同期して反時計方向に回転するが、その接触部１２ｄがスライダ２２の凸部２２ｂに当接すると回転が停止する。閉じばね２３のばね力がねじりばね１３よりも大きいためである。このとき、ガイド部材１９はカム１１、１２の動きと関係がないため、停止した状態となっている。
【００２８】
第１カム１１が反時計方向に回転すると、ロック部材１４も反時計方向に回転する。このため、ロック部材１４のロック部１４ａはガイド部材１９のガイド部１９ｂから第２カム１２の小径部１２ｅに乗り移っていく。このとき、ガイド部１９ｂと小径部１２ｅは径が略同じであるため、ロック部材１４のロック部１４ａは滑らかに移動できる。以上における第１カム１１だけが回転する範囲は、ねじりばね１３をねじるだけであるため、極めて小さな力で動かすことができる。この範囲をドアクローザの特性であるドアの開け始めに非常に大きな力が必要となる範囲と一致させることにより、閉鎖力補助装置１をドアクローザ２に取り付けてもドアを開けるための操作力は変わることがない。
【００２９】
図８は、ドアの開け始めに非常に大きな力が必要となる範囲を過ぎた状態を示す。この状態は例えば、ドアが１５°程度開けられた状態である。ここまでドアを開作動させると、第１カム１１の接触部１１ｆもスライダ２２の凸部２２ｂに突き当たる。従って、ドアの開き作動によって第１カム１１が回転し、閉じばね２３を圧縮する。この圧縮により、閉じばね２３には、ドアの閉鎖力を補助するばね力が蓄えられる。この範囲は、ドアの開け始めの非常に大きな力が必要となる範囲を過ぎ、小さな力でドアを開けることができる範囲となっているため、閉じばね２３を圧縮するための力が加わってもドアは軽く開けることができる。
【００３０】
図９は、さらにドアを開けて人の出入りが可能となった状態を示す。この状態は、例えば、ドアが４５°程度開けられた状態である。第１カム１１及び第２カム１２は共に、反時計方向に回転し、スライダ２２の凸部２２ｂとの接触位置が第１カム１１及び第２カム１２の接触部１１ｆ、１２ｄから一定の半径を有したカム面に移動する。このカム面における半径は、第１カム１１が半径Ｒ１、第２カム１２が半径Ｒ２であり、半径Ｒ１は半径Ｒ２よりもわずかに大きくなるように設定されている。従って、この位置では第１カム１１だけがスライダ２２の凸部２２ｂと接触する。
【００３１】
第２カム１２は、ねじりばね１３によって常に反時計方向に回転付勢されているため、スライダ２２の凸部２２ｂとの接触がなくなると、第２カム１２の長穴１２ｂの他端が第１カム１１の凸ピン１１ｃに当たるまで反時計方向に回転し、凸ピン１１ｃとの当接により第２カム１２は回転が停止する。第２カム１２だけが反時計方向に回転すると、第２カム１２の凹部１２ｆがロック部材１４のロック部１４ａとの対向位置に移動する。ロック部材１４は、ねじりばね１６によって反時計方向に回転付勢されているため、反時計方向に回転する。これにより、ロック部材１４のロック部１４ａは、第２カム１２の小径部１２ｅから凹部１２ｆに落ち込む。この落ち込みによりロック部材１４のロック部１４ａは第２カム１２の当接面１２ｇと接触する。
【００３２】
第１カム１１において、そのカム面の半径Ｒ１は、回転中心（軸体５１）から一定の半径となっているため、これ以上、第１カム１１が回転しても（すなわち、ドアを開き作動させても）、閉じばね２３を圧縮しない。このため、ドアを開けるための操作力が大きくなることがない。
【００３３】
図１０は、以上により開いたドアがドアクローザ２の力によって閉じる状態を示す。この状態においては、閉鎖力補助装置１による閉鎖力の補助が開始される。
【００３４】
ドアが閉じ作動することにより、第１カム１１及び第２カム１２は時計方向に回転する。図１０はドアが３０°の開角度となった状態を示し、ドアがこの角度まで閉じ作動すると、閉じばね２３のばね力はスライダ２２の凸部２２ｂを経て第２カム１２に作用し、第２カム１２を時計方向に回転させる力となる。しかしながら、第２カム１２の時計方向の回転はロック部材１４によってロックされているため、この力は第２カム１２の当接面１２ｇからロック部材１４のロック部１４ａ、さらに第１カム１１に伝達される。従って、この力はドアクローザ２の主軸３をドアが閉まる方向に回転させることになり、ドアクローザ２のドアの閉鎖力を強くすることができる。
【００３５】
図１０の状態からさらにドアが閉じ作動すると、ロック部材１４のロック部１４ａがガイド部材１９のガイド部１９ｂに当接する。ガイド部材１９はねじりばね２１によって反時計方向に回転付勢されているが、ロック部材１４は第２カム１２によって時計方向への回転力が強く伝達されているため、ロック部材１４はガイド部材１９を時計方向に回転させる。
【００３６】
図１１は、閉鎖力補助装置１による閉鎖力補助が終了した状態を示し、例えば、ドアが２°の開角度となったドアが完全に閉まる直前の状態である。
【００３７】
この状態では、スライダ２２の鍔部２２ａがベース１７の段差部１７ｄに突き当たり、スライダ２２を凸部２２ｂが第２カム１２の接触部１２ｄに接触した状態となっている。ガイド部材１９はロック部材１４により、さらに時計方向に回転させられている。
【００３８】
図１１の状態からドアが僅かに閉まると、第１カム１１と第２カム１２が時計方向に回転するため、スライダ２２の凸部２２ｂと第２カム１２の接触部１２ｄとの間には、僅かな隙間Ｌが生じる（図７参照）。隙間Ｌが生じると、第２カム１２に作用していた閉じばね２３のばね力がなくなり、ロック部材１４にも大きな力が作用しなくなる。このとき、ねじりばね１６のばね力はねじりばね２１のばね力よりも小さいため、ガイド部材１９はねじりばね２１の力により反時計方向に回転して図７の状態に戻る。この場合の隙間Ｌは、第２カム１２に閉じばね２３のばね力が作用しない程度で良く、ごく僅かとなるため、閉鎖力の補助を妨げるものではない。
【００３９】
このような実施形態では、第１カム１１が蓄えた閉じばね２３のばね力によってドアを閉じる際の閉鎖力が大きくなり、ドアを確実に閉じることができる。又、ドアの完全閉じ状態においては、第１カム１１及び第２カム１２と閉じばね２３との間に隙間が形成されているため、閉じばね２３のばね力が第１カムに作用することなく、ドアを開ける際の開け始めの操作力を大きくする必要がない。
【００４０】
この実施形態では、ドアを途中まで開けて閉めた場合でも、誤動作することがなく次の開閉は正常に行われる。例えば、ドアチェーンをかけたままで来訪者に対応し、そのままドアを閉めた場合でも、次に人が出入りする程度にドアを開ければ閉じばね２３に閉鎖力（ばね力）が蓄積されるため、正常に動作する。又、閉じばね２３が閉鎖力を蓄積するのにドアを全開まで開く必要がなく、人が出入りする程度まで開ければ閉鎖力を蓄積するため使い勝手が良い。さらに、ドアの全開付近では、閉じばね２３のばね力が働いていないため、ドアクローザの主軸に力が作用していない。このため、ドアクローザの全開位置におけるドアストップ機能に影響がない。なお、ドアストップ機能とは、ドアを９０°程度開けたときにドアの開きを停める機能である。
【００４１】
（第２実施形態）
図１２は、本発明の第２実施形態を示す。同図において、鎖線はロック部材１４の先端部のロック部１４ａの揺動軌跡を示す。この実施形態では、第２カム１２の当接面１２ｇがロック部材１４の揺動軌跡側に向かって大きく傾斜している。このように傾斜させることにより、第２カム１２が反時計方向に回転してロック部材１４のロック部１４ａによってロックされるとき、ロック部材１４のロック部１４ａが第２カム１２の当接面１２ｇに必ず接触することができる。これにより、閉じばね２３のばね力（閉鎖補助力）が第２カム１２に作用した瞬間に、ロック部材１４のロック部１４ａに第２カム１２の当接面１２ｇが当接して発生する音を防止することができる。
【００４２】
（第３実施形態）
図１３は、本発明の第３実施形態を示す。この実施形態では、ベース１８のリング部１８ｂとガイド部材１９との間に粘性グリス等の粘性流体２５が封入されている。粘性粒体２５はシール２８によって封入されるものである。これにより、ガイド部材１９が緩速度で回転するため、凸ピン１９ａがベース１８の長穴１８ｃに突き当たる際の音の発生を防止できる。
【００４３】
（第４実施形態）
図１４は、本発明の第４実施形態を示す。この実施形態では、スライダ２２の内部に軸方向に伸びるシャフト部２２ｄを形成し、シャフト部２２ｄの内部にねじ部２２ｃを形成している。又、蓋２４にはボルト２６を貫通させ、このボルト２６をスライダ２２のねじ部２２ｃに螺合させた構造となっている。なお、スライダ２２の外形は、非円形とすることが好ましい。
【００４４】
この構造では、ボルト２６及びねじ部２２ｃを調整することにより、スライダ２２の凸部２２ｂと第２カム１２の接触部１２ｄとの間の隙間Ｌの大きさを調整することができる。このため、閉鎖力補助装置１をドアクローザ２に取り付けるときに、ドアクローザ２の主軸３の回転位置により隙間Ｌが変化してもボルト２６を回転させて隙間Ｌを一定量に調整することができる。又、隙間Ｌを極力小さくすることが可能となり、ドアの閉じ作動における閉鎖補助力を発揮することができる。
【００４５】
（第５実施形態）
図１５は本発明の第５実施形態を示す。この実施形態では、スライダ２２の凸部２２ｂにローラ２７が回転可能に取り付けられている。従って、第１カム１１及び第２カム１２とスライダ２２との接触の際の摩擦力が軽減されるため、耐久性が向上するメリットがある。
【００４６】
（第６実施形態）
図１６は本発明の第６実施形態を示す。この実施形態では、第１カム１１が第２カム１２を挟んで一対が設けられる構造となっている。すなわち、第１カム１１は第２カム１２をサンドイッチするように配置される。このように一対の第１カム１１を配置することにより、スライダ２２の凸部２２ｂがどのカムに接触しても偏荷重がかかることがなく、安定した作動が可能となる。
【００４７】
この実施形態において、第１カム１１は軸体５１と別体となっており、軸体５１が嵌合することにより第１カム１１が軸体５１に固定される。５１ｅは軸体５１における第１カム１１の嵌合部であり、外形が非円形に形成されており、このことにより第１カム１１は軸体５１と一体的に回転することができる。
【００４８】
（第７実施形態）
図１７は、本発明の第７実施形態を示す。この実施形態では、以上の実施形態１〜６をドアクローザ３１の内部に組み込むものである。ドアクローザ３１は、ドアに取り付けられるボックス状のクローザ本体２ａと、クローザ本体２ａを厚さ方向に貫通する主軸３とを備えており、主軸３がアーム部２ｂを介してドアに連結される。従って、ドアが開閉することにより、主軸３が正逆方向に回転する。
【００４９】
クローザ本体２ａの内部には、シリンダ３２が形成されており、シリンダ３２の内部にピストン３３が往復移動可能に配置されている。ピストン３３は主軸３に係合しており、ピストン３３が往復移動することにより、主軸３が正逆方向に回転する。シリンダ３２の内部にはピストン３３を押圧するコイルばね３４が設けられる。コイルばね３４はピストン３３を付勢することにより、ピストン３３を介して主軸３がドア閉じ方向に回転するように付勢し、これにより閉鎖力をドアに作用させている。
【００５０】
この実施形態において、第１カム１１は主軸３に一体的に形成されており、ドアの開閉に伴って主軸３と共に正逆回転する。第１カム１１には第２カム１２が正逆回転するように取り付けられている。第２カム１２には、スライダ２２を介して閉じばね２３が当接し、閉じばね２３のばね力が伝達される。又、第１カム１１には第２カム１２に当接して第２カム１２の回転をロックするロック部材１４が揺動可能に取り付けられている。ロック部材１４を第２カム１２に当接するように案内する一方、ドアの閉じ作動終了の際に、ロック部材１４が第２カム１２との当接から離脱するガイド部材１９を備えている。以上の構造は、実施例１〜６で説明した構造が用いられる。
【００５１】
このように、開閉力の補助を行う機構をクローザ本体２ａに組み込むことにより、ドアを閉める力が非常に強く、ドアを開けるときは極小さな力で操作できる効率の良いドアクローザ３１とすることができる。
【図面の簡単な説明】
【００５２】
【図１】実施例１における閉鎖力補助装置をドアクローザに取り付けた状態を示す正面図である。
【図２】閉鎖力補助装置の側面図である。
【図３】図１におけるＡ−Ａ線断面図である。
【図４】図１におけるＢ−Ｂ線断面図である。
【図５】図４におけるＣ−Ｃ線断面図である。
【図６】主要構成を示す分解斜視図である。
【図７】ドアが完全に閉まっている状態の主要構成を示す側面図である。
【図８】ドアの開け始め状態の主要構成を示す側面図である。
【図９】人の出入りが可能な角度までドアを開けた状態の主要構成を示す側面図である。
【図１０】ドアの閉まり作動を開始した状態の主要構成を示す側面図である。
【図１１】ドアが完全に閉まる直前状態の主要構成を示す側面図である。
【図１２】第２実施形態の主要構成を示す側面図である。
【図１３】第３実施形態の主要構成を示す断面図である。
【図１４】第４実施形態の断面図である。
【図１５】第５実施形態の断面図である。
【図１６】第６実施形態の断面図である。
【図１７】第７実施形態の断面図である。
【符号の説明】
【００５３】
１  閉鎖力補助装置
２、３１  ドアクローザ
２ａ  クローザ本体
３  主軸
１１  第１カム
１１ｆ  接触部
１２  第２カム
１２ｄ  接触部
１２ｅ  小径部
１２ｇ  当接面
１３  ねじりばね
１４  ロック部材
１４ａ  ロック部
１６  ねじりばね
１７、１８  ベース
１９  ガイド部材
２１  ねじりばね
２２  スライダ
２３  閉じばね
３２  シリンダ
３３  ピストン
３４  コイルばね
５１  軸体
【図１】
0005057147.tif 000002
【図２】
0005057147.tif 000003
【図３】
0005057147.tif 000004
【図４】
0005057147.tif 000005
【図５】
0005057147.tif 000006
【図６】
0005057147.tif 000007
【図７】
0005057147.tif 000008
【図８】
0005057147.tif 000009
【図９】
0005057147.tif 000010
【図１０】
0005057147.tif 000011
【図１１】
0005057147.tif 000012
【図１２】
0005057147.tif 000013
【図１３】
0005057147.tif 000014
【図１４】
0005057147.tif 000015
【図１５】
0005057147.tif 000016
【図１６】
0005057147.tif 000017
【図１７】
0005057147.tif 000018